(57)【要約】      （修正有）【課題】試験問題や問題に対する選択肢の数を学生の各種条件に応じて設定するシステムを提供する。【解決手段】出席情報管理サーバ１０１は、読み取った学生証の情報を集計し、各学生の出席回数または出席率を算出する出席情報算出部を備え、履修情報管理サーバ１０２は、学生が履修している講義の履修講義情報を管理する履修情報管理部を備え、試験情報管理サーバ１０３は、試験問題を作成する試験問題作成部を備える。試験問題作成部はさらに、出席情報算出部が算出した各学生の出席回数または出席率を、履修講義情報管理部の履修講義情報ごとに集計し、出席情報算出部が算出した各学生の出席回数又は出席率に応じて当該履修講義の試験問題を作成する。【選択図】図１
2016181050.tif 000002
【特許請求の範囲】
【請求項１】
教室に設置され、学生証を読み取ることで出席と判断する出席管理端末と、前記出席管理端末が読み取った学生証の情報を管理する出席情報管理サーバと、学生の履修情報を管理する履修情報管理サーバと、試験問題を作成する試験情報管理サーバからなる試験情報管理システムにおいて、
出席情報管理サーバは、読み取った学生証の情報を集計し、各学生の出席回数または出席率を算出する出席情報算出部を備え、
履修情報管理サーバは、学生が履修している講義の履修講義情報を管理する履修情報管理部を備え、
試験情報管理サーバは、試験問題を作成する試験問題作成部を備え、
前記試験問題作成部はさらに、前記出席情報算出部が算出した各学生の出席回数または出席率を、前記履修講義情報管理部の履修講義情報ごとに集計し、
前記出席情報算出部が算出した各学生の出席回数または出席率に応じて当該履修講義の試験問題を作成することを特徴とした、試験情報管理システム。
【請求項２】
請求項１に記載の試験情報管理システムにおいて、前記試験問題作成部は前記出席情報算出部が算出した各学生の出席回数または出席率
に応じて、設問に対する選択肢の数を増減させることを特徴とした、試験情報管理システム。
【請求項３】
請求項１に記載の試験情報管理システムにおいて、前記試験問題作成部は前記出席情報算出部が算出した各学生の出席回数または出席率
に応じて、各学生の採点結果に対して加点することを特徴とした、試験情報管理システム。
【発明の詳細な説明】
【技術分野】
【０００１】
本発明は、大学の講義等において、学生の出席回数や出席率等の諸条件に応じて試験問題や問題に対する選択肢の数を自動変更するシステムに関する。
【背景技術】
【０００２】
現在、少子化に伴い、大学入学を希望する学生が全員何れかの大学に入学できてしまう、いわゆる「大学全入時代」を迎えている。
これは要するに、大学入学を希望する国内の学生の総人口に対して、大学の入学者定員が上回っていることを指している。
大学全入時代を迎えるにあたって、一部の難関大学や有名大学への受験・人気が集中していることにより地方大学や新興大学は受験生・生徒集めに苦戦している。
実際に、定員割れによる経営問題や他の問題点を抱えた新興大学は多く、大学の閉鎖という事態が現実のものとなっている。
【０００３】
そこで、各大学は受験生に対して様々な、宣伝やサービスを行うようになった。
例としては、高校3年生を対象に就職率や就職先企業の実績、在学中に取得可能な公的資格などの広告や宣伝、オープンキャンパス（大学内の見学や学部などの説明、模擬授業、在籍学生や大学職員との交流イベント）、AO入試の実施などである。
大学によっては、オープンキャンパスで周辺主要都市からキャンパスへの無料送迎バスの運行や交通費の補助、学内食堂の無料券の配布、記念品の配布などが行われることもある。さらに、入試の成績優秀者に対して、入学金や授業料の全額または一部免除を行う大学も増えている。
【０００４】
また、大学は入学した学生を途中で退学させることなく、全員卒業できるように各講義の出席率を高めようとしている。これは、出席率を高めることによって、結果的に学生の両親に対するアピールにつながると考えられている。
そこで近年、大学内の各業務がシステム化されている。例えば、学生証を紙媒体から電子媒体(ICカード)へ移行し、各教室に設置された出席管理端末と呼ばれる電子媒体読取装置を用いて各講義の出席確認を行うシステムが知られている。(特許文献1)
また、講義を担当する教授の手間を軽減するために試験問題を自動生成するシステムが知られている。(特許文献2)
【先行技術文献】
【特許文献】
【０００５】
【特許文献１】特開２００６−２４４２５４号公報
【特許文献２】特開２００３−２７１０５０号公報
【発明の概要】
【発明が解決しようとする課題】
【０００６】
しかしながら、多くの大学が学生の出席率の改善には至っていない現状がある。つまり、出席管理システムや、試験問題を自動で作成する業務システムは独立しており、相互に機能していない。また、試験問題や問題に対する選択肢の数を学生の各種条件に応じて設定するシステムも存在していない。
【課題を解決するための手段】
【０００７】
上記目的を達成するために請求項１に記載の発明にあっては、教室に設置され、学生証を読み取ることで出席と判断する出席管理端末と、前記出席管理端末が読み取った学生証の情報を管理する出席情報管理サーバと、学生の履修情報を管理する履修情報管理サーバと、試験問題を作成する試験情報管理サーバからなる試験情報管理システムにおいて、
出席情報管理サーバは、読み取った学生証の情報を集計し、各学生の出席回数または出席率を算出する出席情報算出部を備え、
履修情報管理サーバは、学生が履修している講義の履修講義情報を管理する履修情報管理部を備え、
試験情報管理サーバは、試験問題を作成する試験問題作成部を備え、
前記試験問題作成部はさらに、前記出席情報算出部が算出した各学生の出席回数または出席率を、前記履修講義情報管理部の履修講義情報ごとに集計し、
前記出席情報算出部が算出した各学生の出席回数または出席率に応じて当該履修講義の試験問題を作成することによって、結果的に学生の出席を促し、試験作成者の作業も簡便化することが可能になる。  
【０００８】
請求項２に記載の発明にあっては、前記試験問題作成部は前記出席情報算出部が算出した各学生の出席回数または出席率に応じて、設問に対する選択肢の数を増減させることによって、結果的に学生の出席を促し、試験作成者の作業も簡便化することが可能になる。
【０００９】
請求項３に記載の発明にあっては、前記試験問題作成部は前記出席情報算出部が算出した各学生の出席回数または出席率に応じて、各学生の採点結果に対して加点することによって、結果的に学生の出席を促し、試験作成者の作業も簡便化することが可能になる。
【発明の効果】
【００１０】
本システムによれば、試験問題の内容、例えば選択肢の数が各学生の出席率や出席回数に応じた数になるため、各学生は講義に出席するようになる。
【図面の簡単な説明】
【００１１】
【図１】本発明の実施の形態に係る試験情報管理システムの構成を示す図である。
【図２】本発明の実施の形態に係る履修登録に関するフローチャートである。
【図３】本発明の実施の形態に係る出席登録に関するフローチャートである。
【図４】本発明の実施の形態に係る試験問題の作成に関するフローチャートである。
【図５】本発明の実施の形態に係る履修情報管理データベースの一例を示す図である。
【図６】本発明の実施の形態に係る出席情報管理データベースの一例を示す図である。
【図７】本発明の実施の形態に係る試験情報管理データベースの一例を示す図である。
【図８】本発明の実施の形態に係る出席情報管理データベースの一例を示す図である。
【図９】本発明の実施の形態に係る出席情報管理サーバの構成を示すブロック図である。
【図１０】本発明の実施の形態に係る履修情報管理サーバの構成を示すブロック図である。
【図１１】本発明の実施の形態に係る試験情報管理サーバの構成を示すブロック図である。
【発明を実施するための形態】
【００１２】
以下、添付図面を参照して、本発明を実施するための形態（以下、単に、実施形態という）について詳細に説明する。なお、実施形態の説明の全体を通して同じ要素には同じ番号または符号を付している。
【００１３】
（実施形態の構成）
図１に、実施の形態に係る試験情報管理システムの全体構成を示す。
図１に示すように、試験情報管理システム１００は、学生の出席情報を管理する出席情報管理サーバ１０１と、学生の履修情報を管理する履修情報管理サーバ１０２と、試験情報を管理する試験情報管理サーバ１０３と、各教室に設置され、学生の学生証を読み取り出席管理を行う出席管理端末１０４と、学生が保有している情報端末１０５から構成しているシステムである。出席情報管理サーバ１０１と履修情報管理サーバ１０２と試験情報管理サーバ１０３と出席管理端末１０４はそれぞれ有線もしくは無線ＬＡＮで接続されており、各学生が保有する情報端末１０５は試験情報管理システム１００とインターネット回線を通して接続されている。
【００１４】
図９は出席情報管理サーバ１０１の機能ブロック図である。
出席情報管理サーバ１０１は、出席情報管理データベース１０６と制御部１０７と出席情報算出部１０８とを備えており、出席情報管理データベース１０６は学生の出席情報を記憶するデータベースである。制御部１０７は各機能を実行するためのものであり、出席情報算出部１０８は学生の出席情報を基に出席回数や出席率を算出する。
【００１５】
図１０は履修情報管理サーバ１０２の機能ブロック図である。
履修情報管理サーバ１０２は、履修情報管理データベース１０９と制御部１１０と履修情報管理部１１１とを備えており、履修情報管理データベース１０９は学生の履修情報を記憶するデータベースである。制御部１１０は各機能を実行するためのものであり、履修情報管理部１１１は学生の履修情報を管理する機能を備えている。
【００１６】
図１１は試験情報管理サーバ１０３の機能ブロック図である。
試験情報管理サーバ１０３は、試験情報管理データベース１１２と制御部１１３と試験問題作成部１１４とを備えており、試験情報管理データベース１１２は例えば試験問題を作成する条件を記憶するデータベースである。制御部１１３は各機能を実行するためのものであり、試験問題作成部１１４は試験情報管理データベース１１２に記憶されている条件を基に、各学生に試験問題を作成する機能を備えている。
【００１７】
出席管理端末１０４は、講義が行われる教室に設置されており、図示しないＩＣカードリーダ部を備え、ＩＣカードリーダ部で読み取った学生情報を出席情報として管理し、講義終了後に該出席情報を出席情報管理サーバ１０１に送信する。出席管理端末１０４から出席情報を受信した出席情報管理サーバ１０１は、該出席情報を出席情報管理データベース１０６に記憶する。
【００１８】
学生が保有している情報端末１０５は、試験情報管理サーバ１０３から試験問題を受信するための端末であり、パーソナルコンピューターや、スマートフォン、タブレット、試験専用端末でもよい。
【００１９】
まず、各学生が受講する講義を履修情報として履修情報管理サーバ１０２に対して登録を行う。これは、一般的な履修登録作業であり、通常、期の始めか第１回目の講義で行われる。図２は履修情報登録に関する処理フローを示すシーケンス図である。
【００２０】
学生は、パーソナルコンピューター等の情報端末を操作し、受講したい講義の履修情報を選択、または入力を行う（Ｓ２０１）。情報端末１０５は、選択、または入力された履修情報を履修情報管理サーバ１０２へ送信する（Ｓ２０２）。情報端末１０５から送信された履修情報を受信（Ｓ２０３）した履修情報管理サーバ１０２は、履修登録作業が完了かどうかの判断を行い（Ｓ２０４）、履修登録作業が完了した場合は(Ｓ２０４：ＹＥＳ)確定した履修情報を学生毎に履修情報管理データベース１０９に対して登録を行う（Ｓ２０５）。履修登録作業が未完了の場合は(Ｓ２０４：ＮＯ)、S２０１に戻り、履修情報の選択、または入力を行う。履修登録作業が完了したかどうかの判断は、情報端末１０５から履修情報登録完了データを受信したかどうかで判断を行う。
【００２１】
このとき、情報端末１０５はデータ入力が可能であればよく、タブレットや携帯電話、パーソナルコンピューター、入力専用端末等に限らない。
また、履修情報管理データベース１０９に登録するデータは、例えば図５のように学生番号をキーに、講義ID、曜日、時限等から構成されているデータである。
【００２２】
次に、各学生の出席情報を管理する出席情報管理サーバ１０１について説明する。図３は学生が講義に出席したかどうかを判断し、出席した場合に出席情報として管理する流れを示したシーケンス図である。
【００２３】
出席管理端末１０４は、自端末が設置されている教室の講義開始時刻の前になると、出席情報管理サーバ１０１に対して教室IDと時刻を送信する（Ｓ３０１）。受信した出席情報管理サーバ１０１は、受信した教室IDと時刻をキーとして出席情報管理データベース１０６から、講義名称と講義開始時刻及び講義終了時刻を抽出し、出席管理端末１０４に対して送信する（Ｓ３０２）。出席情報管理サーバ１０１から送信された講義名称と講義開始時刻及び講義終了時刻を受信した出席管理端末１０４は、受信した講義開始時刻の例えば10分前に講義名称と講義開始時刻を図示しない表示部に表示し、出席情報の受付を開始するとともに出席者受付モードになる（Ｓ３０３）。
【００２４】
出席者受付モード状態では、学生を識別できる学生情報を備えた学生証であって例えばＩＣカードがかざされたか否かの判断を行い、かざされたと判断した場合（Ｓ３０４：ＹＥＳ）、図示しないリーダライタ部からかざされた学生証に記憶された学生情報を読み出し、図示しない記憶部に保存する（Ｓ３０５）。
【００２５】
出席情報管理端末１０４は常に時刻をチェックしており、講義終了時刻になる（Ｓ３０６：ＹＥＳ）と、図示しない記憶部に記憶した学生情報を出席者情報として出席情報管理サーバ１０５に送信する（Ｓ３０７）。
出席情報管理サーバ１０１は、受信した学生情報を出席情報管理データベース１０６に対して登録処理を行う（Ｓ３０８）。
【００２６】
ここで、Ｓ３０１において、出席管理端末１０４から出席情報管理サーバ１０１に対して情報要求を行い、講義情報を取得する流れとしたが、出席情報管理サーバ１０１が予め設定された時刻になると、各出席管理端末１０４に対して講義名と講義終了時刻を配信してもよい。また、学生証は個人が特定できるID等が記憶されたチップが搭載されている非接触のICカード等である。
図６に出席管理端末１０４に表示する講義名称と講義開始時刻及び講義終了時刻を登録した出席情報管理データベースの例を示す。
【００２７】
次に、各学生の試験情報を管理し、試験問題の自動作成を行う試験情報管理サーバの処理について図４を用いて説明する。
まず、試験情報管理サーバ１０３の試験情報管理データベース１１２に対して試験問題を自動作成するための条件や加点条件となる試験情報を予め登録しておく（Ｓ４０１）。
例えば、対象となる講義の出席回数が７回以上の場合は選択肢の数を２個とし、４回〜６回の場合は選択肢の数を３個とするなど、出席回数に応じて問題に対する選択肢の数を変動させる。また、出席率が一定の割合（７０％）以上の場合は採点結果に対して１０点を加点する等の特典を与えることが考えられる。このときの具体例を図７に示す。これは、問題によって閾値とする出席条件を選択し、それぞれの回数や率によって設定される値が登録してある。
【００２８】
次に、試験情報管理サーバ１０３は、試験情報管理データベース１１２から翌日に試験を実施する講義ＩＤを抽出する。
次に抽出された講義に対する各学生の出席情報を抽出する。（Ｓ４０４〜４０７）
始めに、試験情報管理サーバ１０３はＳ４０２で抽出した講義ＩＤを出席情報管理システム１０１に対して送信する（Ｓ４０４）。
【００２９】
出席情報管理サーバ１０１は（Ｓ４０５）、試験情報管理サーバから送信された講義ＩＤを受信し、当該講義ＩＤを基に出席情報管理サーバ１０１に備えられた出席情報管理データベース１０６内に保存された図８に示す学生情報に対応する出席回数、出席率、小テストの点数等の履修情報を抽出し、試験情報管理サーバ１０３に送信する。
試験情報管理サーバ１０３は、出席情報管理サーバから送信された履修情報を受信し、Ｓ４０１で予め設定しておいた試験条件に基づいた試験問題を学生毎に作成する（Ｓ４０８）。
【００３０】
作成された試験問題は、試験開始時、あるいは開始直前のタイミングで各学生が保持している情報端末へ試験情報管理サーバ１０３から送信される（Ｓ４０９）。各学生は試験問題を受信し（Ｓ４１０）、試験を開始する。
また、本実施例では試験情報管理サーバから情報端末へ作成した試験問題を送信するとしたが、試験情報管理サーバが作成した試験問題を印刷し、各学生に配布してもよい。
さらに、本実施例では一部の問題についてのみ、予め条件を設定し、出席回数や出席率によって選択肢の数を変動させることとしたが、もちろん試験問題全てに適用してもよい。
【符号の説明】
【００３１】
１００…試験情報管理システム、１０１…出席情報管理サーバ、１０２…履修情報管理サーバ、１０３…試験情報管理サーバ、１０４…出席管理端末、１０５…情報端末、１０６…出席情報管理データベース、１０７…制御部、１０８…出席情報算出部、１０９…履修情報管理データベース、１１０…制御部、１１１…履修情報管理部、１１２…試験情報管理データベース、１１３…制御部、１１４…試験問題作成部、
【図２】
2016181050.tif 000003
【図１】
2016181050.tif 000004
【図３】
2016181050.tif 000005
【図４】
2016181050.tif 000006
【図５】
2016181050.tif 000007
【図６】
2016181050.tif 000008
【図７】
2016181050.tif 000009
【図８】
2016181050.tif 000010
【図９】
2016181050.tif 000011
【図１０】
2016181050.tif 000012
【図１１】
2016181050.tif 000013